(57)【要約】【課題】循環ファン、冷房、導風および還気などの多種機能を統合し、天井または軽量形鋼の架体に装着され、かつエリアごとに独立の冷空気調整を採用する天井埋め込み型空気調整循環機を提供する。【解決手段】基座３０は、周りに配置された方形固定框３１を有し、方形固定框３１の中間に環状陥没溝を有する。蒸発器は、環状陥没溝に配置され、環状を呈する。ファンは、蒸発器内に装着され、モーターおよび羽根車から構成され、モーターはファン座に装着され、羽根車は上向きに装着される。ポンプは、環状陥没溝の外側の拡張区に装着され、蒸発器から環状陥没溝に滴下してきた冷却凝集水を排水管によって排出する。蓋７０は、基座３０の方形固定框３１に装着される。制御器８０は、制御機構８１および無線信号受信機構を有する。【選択図】  図３
0003156897.tif 000002
【実用新案登録請求の範囲】
【請求項１】
周りに配置された方形固定框を有し、方形固定框は中間に環状陥没溝を有し、方形固定框の内側と環状陥没溝の外側との間には複数の排気口を有し、環状陥没溝は内側に形成された円孔を有し、円孔は中央に複数のリブ部から支持されたファン座を有する基座と、
環状陥没溝に配置され、環状を呈する蒸発器と、
蒸発器内に装着され、モーターおよび羽根車から構成され、モーターはファン座に装着され、羽根車は上向きに装着されるファンと、
環状陥没溝の外側の拡張区に装着され、蒸発器から環状陥没溝に滴下してきた冷却凝集水を排水管によって排出するポンプと、
基座の方形固定框に装着される蓋と、
制御機構および無線信号受信機構を有し、制御機構はファンおよびポンプに電気的に接続されることでオンまたはオフを制御する制御器と、
を備えることを特徴とする天井埋め込み型空気調整循環機。
【請求項２】
蒸発器は、循環管および複数の放熱フィンから構成され、循環管は導入管および回流管を有し、導流管および回流管は遠端の冷房本体に接続されることを特徴とする請求項１に記載の天井埋め込み型空気調整循環機。
【請求項３】
ポンプは、横に液位センサーを有するため、環状陥没溝内の冷却凝集水が一定の高さに至る際、検知信号によってポンプを起動することが可能であることを特徴とする請求項１に記載の天井埋め込み型空気調整循環機。
【請求項４】
液位センサーは、浮子を有し、浮子は水位の変化に伴いシャフトを移動し、かつ内部に磁石を有し、シャフトは磁石に対応するリードスイッチを有することを特徴とする請求項３に記載の天井埋め込み型空気調整循環機。
【請求項５】
蓋は、内側に一層の保温層を有し、保温層は発泡スチロールから構成されることを特徴とする請求項１に記載の天井埋め込み型空気調整循環機。
【請求項６】
制御器は、無線信号受信機構が基座に配置され、制御機構が蓋の外側に配置されることを特徴とする請求項１に記載の天井埋め込み型空気調整循環機。
【請求項７】
制御器は、蒸発器および冷気本体のオンまたはオフを制御することを特徴とする請求項１に記載の天井埋め込み型空気調整循環機。
【請求項８】
ファン座は、底面の中央に軸受座を有し、軸受座は軸受および回転軸の装着に用いられ、環状陥没溝の円孔は内部に下から上へ気流を導入する導流盤を有し、導流盤は中央に回転軸に対応する連結部を有するため、導流盤はボルトによって回転軸の底部に固定され、かつファン座の下方に自由回転状態を維持することが可能であり、導流盤は径方向上に配置された複数の隔離片を有し、かつ連結部を中心に外部へ徐々に拡張して形成された複数の同心円の円錐状導流片を有し、円錐状導流片は中央が下に突出し、外周が上へ徐々に拡大して円弧形層状を呈するように配列されることを特徴とする請求項１に記載の天井埋め込み型空気調整循環機。
【請求項９】
導流盤は、内側に円形フィルターを有することを特徴とする請求項８に記載の天井埋め込み型空気調整循環機。
【請求項１０】
蒸発器は、内側に複数の円弧状フィルターを有することを特徴とする請求項１に記載の天井埋め込み型空気調整循環機。
【考案の詳細な説明】
【技術分野】
【０００１】
本考案は、天井埋め込み型空気調整循環機に関し、詳しく言えば循環ファン、冷房、エアーボックス、導風管、排気口、還気口およびろ過清浄などの多種機能を複合させる構造に関するものである。
【背景技術】
【０００２】
一般的にオフィスまたは工場に内装工事を行なう場合、軽量形鋼で格子状の框体を構築し、そののち框体を天井に装着する施工方法は、簡単かつ低コストであるため、よく採用されている。
【０００３】
室内空気の流れを増進するために、格子状の框体に空気循環機または扇風機を取り付けることが可能である。図１に示すように、天井の鋼製架体に用いる従来の循環ファン１０は、上殻体１１の底部にファン１２を有し、下殻体１３の上のファン１２に対応する位置に円形排気孔１４を有し、円形排気孔１４の内部に排気盤１５を有するため、下殻体１３の周りの吸気口１６から空気を吸い込み、中央の排気盤１５から吐き出すことによって室内空気の流れを増進することが可能である。
【考案の概要】
【考案が解決しようとする課題】
【０００４】
しかしながら、このような循環ファン１０は冷房機能が付かず、送風機能および風拡散機能のみを有するため、天井または軽量形鋼の架体に図２Ａおよび図２Ｂに示した冷風気２０を増設する必要がある。冷風機２０は、送風機２１、蒸発器２２、集風装置２３、導風管２４、排気口２５および還気口２６を備え、蒸発器２２によって圧縮機２７から送られた高圧冷媒を膨張させ、吸熱効果を生成させ、続いて送風機２１によって蒸発器２２の回りの冷気を後方から集風装置２３に吸い込み、そののち導風管２４によって冷気を部屋Ａ、Ｂ、Ｃ、・・・、Ｎに導入する。しかしながら、このような冷風機２０を製造及び使用する際に下記の欠点が発生する。
【０００５】
一、従来の冷風機２０は一つの稼動装置によって複数の部屋Ａ、・・・、Ｎに冷気を同時に供給するため、高効率の大型稼動装置を採用しなければならない。従って、体積および重量が大きいだけでなく、天井に取り付ける際、施工に非常に不便である。
【０００６】
二、従来の冷風機２０は導風管２４によって冷気を拡散させる。供給先の部屋から集風装置２３までの距離が遠い場合、導風管２４を延長しなければならないため、コストを増加させるだけでなく、送風効率を低下させ、冷気効果に影響を与えてしまう。
【０００７】
三、部屋Ａ、・・・、Ｎに風圧を均一に供給するには、天井に還気口２６を増設する必要があるため、排気口および還気口を天井に配置すると同時に天井の美観を損なうだけでなく、コストを増加させてしまう。
【０００８】
本考案の主な目的は、循環ファン、冷房、導風および還気などの多種機能を統合し、天井または軽量形鋼の架体に装着され、かつエリアごとに独立の冷空気調整を採用する天井埋め込み型空気調整循環機を提供することにある。
【課題を解決するための手段】
【０００９】
上述の目的を達成するために、本考案による天井埋め込み型空気調整循環機は、基座、蒸発器、ファン、ポンプ、蓋および制御器を備える。
基座は、周りに配置された方形固定框を有し、方形固定框の中間に環状陥没溝を有し、方形固定框の内側と環状陥没溝の外側との間に複数の排気口を有する。環状陥没溝は内側に形成された円孔を有し、円孔は中央に複数のリブ部から支持されたファン座を有する。
蒸発器は、環状陥没溝に配置され、環状を呈する。
ファンは、蒸発器内に装着され、モーターおよび羽根車から構成され、モーターはファン座に装着され、羽根車は上向きに装着される。
ポンプは、環状陥没溝の外側の拡張区に装着され、蒸発器から環状陥没溝に滴下してきた冷却凝集水を排水管によって排出する。
蓋は、基座の方形固定框に装着される。
制御器は、制御機構および無線信号受信機構を有し、制御機構はファンおよびポンプに電気的に接続されることでオン（ＯＮ）またはオフ（ＯＦＦ）を制御する。
【００１０】
このため、体積の小型化および重量の軽量化を実現させ、施工の便をはかることが可能なだけでなく、環境に応じて天井に取り付ける台数の増減を調整し、かつ導風管を遠くから引っ張ることが原因で送風損失を生じるという現象を排除することが可能である。従って装着の便をはかり、冷気損耗を減少させることが可能となる。
【００１１】
また、天井埋め込み型空気調整循環機は、還気口にフィルターを配置することによって空気清浄機の機能を果たす。
【図面の簡単な説明】
【００１２】
【図１】従来の循環ファンを示す模式図である。
【図２Ａ】従来の冷風機を示す模式図である。
【図２Ｂ】従来の冷風機を示す模式図である。
【図３】本考案の一実施形態による天井埋め込み型空気調整循環機を示す頂面斜視図である。
【図４】本考案の一実施形態による天井埋め込み型空気調整循環機を示す底面斜視図である。
【図５】本考案の一実施形態による天井埋め込み型空気調整循環機を示す分解図である。
【図６】本考案の一実施形態による天井埋め込み型空気調整循環機のうちの一部分の部品を示す分解図である。
【図７】本考案の一実施形態による天井埋め込み型空気調整循環機において蒸発器と基座とが分離した状態を示す平面図である。
【図８】本考案の一実施形態による天井埋め込み型空気調整循環機において蒸発器と基座とが組み立てられた状態を示す平面図である。
【図９】図８中の９−９線に沿った断面図である。
【図１０】図８中の１０−１０線に沿った断面図である。
【図１１】本考案の一実施形態による天井埋め込み型空気調整循環機における液位センサーを示す模式図である。
【図１２】本考案の一実施形態による天井埋め込み型空気調整循環機における制御回路を示す模式図である。
【図１３】本考案の一実施形態による天井埋め込み型空気調整循環機の使用状態を示す模式図である。
【考案を実施するための形態】
【００１３】
以下、本考案による天井埋め込み型空気調整循環機を図面に基づいて説明する。
（一実施形態）
図３から図１２に示すように、本考案の一実施形態による天井埋め込み型空気調整循環機１００は、軽量形鋼の架体または天井２００に装着され、基座３０、蒸発器４０、ファン５０、ポンプ６０、蓋７０および制御器８０を備える。
【００１４】
基座３０は、軽量形鋼の架体または天井２００の格子状框体内に装着されるため、図３と図１３に示すように、周りに配置された方形固定框３１を有する。固定框３１は、径方向に沿って周りから内部へ延長された複数の支持部３７を有し、かつ固定框３１の内側と環状陥没溝３２の外側との間に複数の排気口３６を有する。環状陥没溝３２は内側に形成された円孔３５を有し、円孔３５は中央に複数のリブ部３３から支持されたファン座３４を有する。本実施形態において、環状陥没溝３２の断面は、開口部が上向きになる凵形を呈する。
【００１５】
蒸発器４０は、環状陥没溝３２上に配置され、環状を呈する。つまり、蒸発器４０は環状陥没溝３２内に嵌め込まれ、循環管４１および循環管４１上に配置された複数の放熱フィン４２から構成される。蒸発器４０は先行技術（Prior Art）であるため、原理についての説明を省略する。本考案の特徴は次のとおりである。図６と図７に示すように、蒸発器４０は環状体を呈するように形成され、環状体上に欠け口４３を有し、欠け口４３によって循環管４１を接続し、かつ遠端の冷房本体１０１に接続するため、導入管４１１および回流管４１２を天井埋め込み型空気調整循環機１００の外部まで延長する。本実施形態において、蒸発器４０は環状体に一体成形されるが、これに限らず、複数の部品から環状を構成することが可能である。
【００１６】
ファン５０は、蒸発器４０内に装着され、モーター５１および羽根車５２から構成され、モーター５１はファン座３４上に装着され、羽根車５２は上向きに装着される。
【００１７】
ポンプ６０は、環状陥没溝３２の外側の拡張区３２１に装着され、蒸発器４０から環状陥没溝３２に滴下してきた冷却凝集水を排水管６１によって外部の冷却水回収機構１０２へ排出する。本実施形態において、ポンプ６０は横に液位センサー６２を有する。図１０と図１１に示すように、液位センサー６２は浮子６２１を有する。浮子６２１は水位の変化に伴いシャフト６２３上を移動し、かつ内部に磁石６２２を有する。シャフト６２３は磁石６２２に対応するリードスイッチ６２４を有する。環状陥没溝３２内の冷却凝集水が一定の高さに至る際、浮子６２１は上昇し、磁石６２２によってリードスイッチ６２４に反応を起させ、感知信号を生成させる。続いて感知信号は導線６２５によってポンプ６０を起動し、冷却凝集水を排水管６１によって排出する。本考案において、ポンプ６０が配置されなかったら、蒸発器４０に生じた冷却凝集水が環状陥没溝３２に溢れてしまうという現象が発生する。本考案は、ポンプ６０を配置するため、環状陥没溝３２の外側に拡張区３２１を形成する。拡張区３２１は水を汲み上げるポンプ６０を装着するため、幅が環状陥没溝３２より大きい。
【００１８】
蓋７０は、基座３０の方形固定框３１上に装着され、内側に一層の保温層７１を有する。保温層７１は発泡スチロールから構成されるため、蒸発器４０に生じる冷気を蓋７０内に保温することが可能なだけでなく、蓋７０の表面に結露現象が発生することを防止することが可能である。
【００１９】
制御器８０は、制御機構８１および無線信号受信機構８２を有し、制御機構８１はファン５０およびポンプ６０に電気的に接続されることでオン（ＯＮ）またはオフ（ＯＦＦ）を制御する。本実施形態において無線信号受信機構８２は基座３０上に配置される。比較的好ましい実施形態において無線信号受信機構８２は径方向上の支持部３７上に配置され、かつ表示ランプ８２１を基座３０の底面に露出させるため、ユーザーが天井の下でリモートコントロール８３を操作する際、受信効果をより良好にし、表示ランプを観察することが可能である。本考案は、回路板などから構成される制御機構８１をハウジング内に収容し、かつ蓋７０の外側に装着し、かつ基座３０上の無線信号受信機構８２に電気的に接続するため、無線信号受信機構８２によってリモートコントロール８３からの信号を受信すると、制御機構８１によってファン５０を開閉することが可能である。図１２に示すように、ポンプ６０は制御機構８１によって電源８４を獲得し、液位センサー６２によって開閉（ＯＮ／ＯＦＦ）を制御し、冷却凝集水を適切に排出する。蒸発器４０は冷房本体１０１に接続されるため、単独で冷房本体１０１にスイッチを配置することも、制御機構８１によって冷房本体１０１に電気的に接続することも可能である。従ってリモートコントロール８３は制御器８０によって冷房本体１０１を開閉することが可能となる。
【００２０】
図５、図６および図９に示すように、ファン座３４は底面の中央に軸受座３４１を有し、軸受座３４１は軸受３４２および回転軸３４３の装着に用いられる。環状陥没溝３２の円孔３５は内部に下から上へ気流を導入する導流盤９０を有する。導流盤９０は中央に回転軸３４３に対応する連結部９１を有するため、導流盤９０はボルト９４によって回転軸３４３の底部に固定され、かつファン座３４の下方に自由回転状態を維持することが可能である。また導流盤９０は径方向上に配置された複数の隔離片９２を有し、かつ連結部９１を中心に外部へ徐々に拡張して形成された複数の同心円の円錐状導流片９３を有するため、導流片９３間に流通孔が形成される。円錐状導流片９３は中央が下に突出し、外周が上へ徐々に拡大して円弧形層状を呈するように配列される。本考案は導流盤９０の設計によってファン５０が回転する際、風を吸い込むための円孔３５中に気流を生成させる。このとき径方向上の隔離片９２の側面（縦の面）に気流に当たる面が形成されるため、導流盤９０は連結部９１を軸心に回転を緩める。つまりファン５０が回転すれば導流盤９０を同一方向に沿って回転させることが可能であるため、導流盤９０の周辺にモーターを増設する必要なく、無動力源の構造、即ち自転による導流効果を生成することが可能となる。
【００２１】
本考案は、導流盤９０の内側に円形フィルター９６を配置することによって空気中の粉塵をろ過し、空気清浄効果を果たすことが可能である。また蒸発器４０の内側に複数の円弧状フィルター９５を配置することが可能である。本考案は図６に示した一枚の円弧状フィルター９５のみを掲示して説明を進めるが、実際に複数の円弧状フィルター９５によって環状体を構成するため、図１０に示すように円弧状フィルター９５を円孔３５の底部から抜き出して取り替えるか洗浄することによって蒸発器４０の通気性を良好に保持することが可能である。
【００２２】
本考案は上述した手段により、下記の効果を達成することが可能である。
一、蒸発器４０がオフの場合、ファン５０によって風の流れを生成させることが可能であるため、天井埋め込み型空気調整循環機１００を循環ファンとして使用することが可能となる。
二、蒸発器４０がオンの場合、ファン５０は円孔３５によって室内空気を吸い込み、蒸発器４０内に導入し、そののち環状陥没溝３２の周りの排気口３６を介して室内に吐き出すことによって空気の冷却および流動を促すことが可能であるため、一台の冷房として使用することが可能となる。冷房システムは冷媒または冷水システムを採用することが可能である。
三、本考案において、排気口３６は図２に示した排気口２５に等しく、蓋７０は従来の導風管２４およびエアーボックス２３の代わりになり、ファン５０の下方に位置する円孔３５は従来の還気口２６の代わりになる。つまり本考案は循環ファン、冷房、導風および還気などの多種機能を統合し、天井または軽量形鋼の架体に装着され、かつエリアごとに独立の冷空気調整を採用するため、体積の小型化および重量の軽量化を実現させ、施工の便をはかることが可能なだけでなく、環境に応じて天井に取り付ける台数の増減を調整し、かつ導風管を遠くから引っ張ることが原因で送風損失を生じるという現象を排除することが可能である。従って装着の便をはかり、冷気損耗を減少させることが可能となる。
【符号の説明】
【００２３】
３０：基座、  ３１：固定框、  ３２：環状陥没溝、  ３２１：拡張区、  ３３：リブ部、  ３４：ファン座、  ３５：円孔、  ３６：排気口、  ３７：支持部、４０：蒸発器、  ４１：循環管、  ４１１：導入管、  ４１２：回流管、  ４２：放熱フィン、  ５０：ファン、  ５１：モーター、  ５２：羽根車、  ６０：ポンプ、  ６１：排水管、  ６２：液位センサー、  ６２１：浮子、  ６２２：磁石、  ６２３：シャフト、  ６２４：リードスイッチ、  ６２５：導線、  ７０：蓋、  ７１：保温層、  ７２：陥没溝、  ８０：制御器、  ８１：制御機構、  ８２：無線信号受信機構、  ８２１：表示ランプ、  ８３：リモートコントロール、  ８４：電源、  ９０：導流盤、  ９１：連結部、  ９２：隔離片、  ９３：導流片、  ９４：ボルト、  ９５：円弧状フィルター、  ９６：円形フィルター、  １００：天井埋め込み型空気調整循環機、  １０１：冷房本体、  １０２：冷却水回収機構、  ２００：天井。
【図１】
0003156897.tif 000003
【図２Ａ】
0003156897.tif 000004
【図２Ｂ】
0003156897.tif 000005
【図３】
0003156897.tif 000006
【図４】
0003156897.tif 000007
【図５】
0003156897.tif 000008
【図６】
0003156897.tif 000009
【図７】
0003156897.tif 000010
【図８】
0003156897.tif 000011
【図９】
0003156897.tif 000012
【図１０】
0003156897.tif 000013
【図１１】
0003156897.tif 000014
【図１２】
0003156897.tif 000015
【図１３】
0003156897.tif 000016